(57)【要約】【課題】耐候性を高めた太陽電池モジュールを提供する。【解決手段】太陽電池モジュール１００は、矩形板状の太陽電池パネル２０と、太陽電池パネル２０の外縁を囲むフレーム枠３８と、を備える。フレーム枠３８は、太陽電池パネル２０の裏面側に設けられる本体部と、受光面２２上に設けられる第１部材と、第１部材と本体部とを接続する第２部材とを有し、本体部とともに太陽電池パネルの端面が挿入される溝を形成する保持部と、を含む。フレーム枠３８は、第１端面２０ａに沿った第１フレーム４０ａと第３端面２０ｃに沿った第３フレーム４０ｃとが近接する第１領域Ａと、第２端面２０ｂに沿った第２フレーム４０ｂと第４端面２０ｄに沿った第４フレーム４０ｄとが近接する第２領域Ｂにおいて、本体部および第２部材により構成され、それ以外の領域において、本体部、第１部材および第２部材により構成される。【選択図】図１
2015195663.tif 000002
【特許請求の範囲】
【請求項１】
受光面と、前記受光面に対向する裏面と、互いに並行する第１端面および第２端面と、互いに並行する第３端面および第４端面と、を有する矩形板状の太陽電池パネルと、
前記太陽電池パネルの外縁を囲むフレーム枠と、を備え、
前記フレーム枠は、
前記第１端面に沿って延在する第１フレームと、
前記第２端面に沿って延在する第２フレームと、
前記第３端面に沿って延在する第３フレームと、
前記第４端面に沿って延在する第４フレームと、を含み、
前記フレーム枠は、
前記太陽電池パネルの裏面側に設けられる本体部と、
前記受光面上に設けられる第１部材と、前記第１部材と前記本体部とを接続する第２部材とを有し、前記本体部とともに前記太陽電池パネルの端面が挿入される溝を形成する保持部と、を含み、
前記フレーム枠は、前記第１フレームと前記第３フレームとが近接する第１領域と、前記第２フレームと前記第４フレームとが近接する第２領域において、前記本体部および前記第２部材により構成され、それ以外の領域において、前記本体部、前記第１部材および前記第２部材により構成される太陽電池モジュール。
【請求項２】
前記太陽電池パネルは、マトリクス状に並べられた複数の太陽電池セルを備え、
前記第１端面に沿う方向に並べられる太陽電池セルの数と、前記第３端面に沿う方向に並べられる太陽電池セルの数との差が２以内である請求項１に記載の太陽電池モジュール。
【請求項３】
前記フレーム枠は、前記第１領域および前記第２領域において、前記第１部材に設けられて前記溝と連通する貫通孔をさらに有する請求項１または２に記載の太陽電池モジュール。
【請求項４】
前記フレーム枠は、前記本体部から前記フレーム枠の内側に向けて突出し、構造物にネジ止めするためのネジ孔が設けられる取付部をさらに含み、
前記ネジ孔は、前記取付部が突出する方向よりも前記本体部が延びる方向に長い長孔形状を有する請求項１から３のいずれか一項に記載の太陽電池モジュール。
【請求項５】
前記ネジ孔は、前記太陽電池パネルの裏面と前記取付部の間の距離よりも軸方向の長さが長いネジを、前記裏面と前記取付部との間に前記ネジの頭部が位置する向きで挿通可能となるように構成される請求項４に記載の太陽電池モジュール。
【請求項６】
前記裏面と前記取付部との間に前記ネジの頭部が位置する向きで、前記ネジ孔に挿通される前記ネジをさらに備え、
前記ネジは、前記フレーム枠を構造物にネジ止めする請求項５に記載の太陽電池モジュール。
【請求項７】
前記ネジ孔は、短手方向の幅と長手方向の幅との比が１．１倍以上４倍以下の長孔形状を有する請求項４から６のいずれか一項に記載の太陽電池モジュール。
【発明の詳細な説明】
【技術分野】
【０００１】
本発明は、フレームが取り付けられた太陽電池モジュールに関する。
【背景技術】
【０００２】
太陽電池パネル内において、太陽電池は、ガラス、バックシートの間に封止樹脂により封止されている。太陽電池パネルの外周には、フレームが取り付けられる（例えば、特許文献１参照）。
【先行技術文献】
【特許文献】
【０００３】
【特許文献１】特開２００９−３９５３６号公報
【発明の概要】
【発明が解決しようとする課題】
【０００４】
太陽電池モジュールは、耐候性を有することが望ましい。
【０００５】
本発明はこうした状況に鑑みなされたものであり、その目的は、耐候性を高めた太陽電池モジュールを提供することにある。
【課題を解決するための手段】
【０００６】
上記課題を解決するために、本発明のある態様の太陽電池モジュールは、受光面と、受光面に対向する裏面と、互いに並行する第１端面および第２端面と、互いに並行する第３端面および第４端面と、を有する矩形板状の太陽電池パネルと、太陽電池パネルの外縁を囲むフレーム枠と、を備える。フレーム枠は、第１端面に沿って延在する第１フレームと、第２端面に沿って延在する第２フレームと、第３端面に沿って延在する第３フレームと、第４端面に沿って延在する第４フレームと、を含む。フレーム枠は、太陽電池パネルの裏面側に設けられる本体部と、受光面上に設けられる第１部材と、第１部材と本体部とを接続する第２部材とを有し、本体部とともに太陽電池パネルの端面が挿入される溝を形成する保持部と、を含む。フレーム枠は、第１フレームと第３フレームとが近接する第１領域と、第２フレームと第４フレームとが近接する第２領域において、本体部および第２部材により構成され、それ以外の領域において、本体部、第１部材および第２部材により構成される。
【発明の効果】
【０００７】
本発明によれば、太陽電池モジュールの耐候性を高めることができる。
【図面の簡単な説明】
【０００８】
【図１】本発明の実施の形態に係る太陽電池モジュールを示す平面図である。
【図２】太陽電池モジュールの構造を示す断面図である。
【図３】太陽電池モジュールの裏面側の構造を示す平面図である。
【図４】第１領域における第１フレームの構造を示す側面図である。
【図５】第１領域における第１フレームの構造を示す側面図である。
【図６】図６（ａ）、（ｂ）は、比較例に係るフレームにネジを取り付ける様子を模式的に示す図である。
【図７】図７（ａ）、（ｂ）は、本実施の形態に係るフレームにネジを取り付ける様子を模式的に示す図である。
【図８】変形例に係る太陽電池モジュールを示す平面図である。
【発明を実施するための形態】
【０００９】
本発明を具体的に説明する前に、概要を述べる。本発明の実施の形態における太陽電池モジュールは、矩形板状の太陽電池パネルの外周にフレーム枠が取り付けられる。フレーム枠は、太陽電池パネルの裏面側に設けられる本体部と、太陽電池パネルの受光面上に設けられる第１部材と、第１部材および本体部を接続する第２部材と、を有する。第１部材および第２部材により構成される保持部は、本体部とともに太陽電池パネルの端面が挿入される溝を形成する。本実施の形態においては、太陽電池モジュールの四隅のうち、対角に位置する二つの隅において第１部材を設けないこととして、太陽電池パネルの受光面に溜まる雨水等を排水するための水切りを形成する。一方、残りの二つの隅においては第１部材を設けることによりフレーム枠の強度を高める。これにより、太陽電池モジュールに溜まる雨水等を効率的に排水して、耐候性を高める。
【００１０】
図１は、本実施の形態における太陽電池モジュール１００を示す平面図である。
【００１１】
太陽電池モジュール１００は、太陽電池パネル２０と、フレーム枠３８とを備える。太陽電池パネル２０は、矩形板状の部材であり、受光面２２と、受光面２２に対向する裏面と、互いに並行する第１端面２０ａおよび第２端面２０ｂと、互いに並行する第３端面２０ｃおよび第４端面２０ｄとを有する。太陽電池パネル２０は、複数の太陽電池セル１４を備える。太陽電池パネル２０は、太陽電池パネル２０には、外縁を囲むようにフレーム枠３８が取り付けられる。
【００１２】
太陽電池パネル２０は、正方形に近い形状を有しており、四つの端面２０ａ〜２０ｄの長さがほぼ同じである。言い換えれば、複数の太陽電池セル１４は、マトリクス状に並べて配置されており、第１方向（ｘ方向）に並べられた太陽電池セル１４の数と、第１方向に直交する第２方向（ｙ方向）に並べられた太陽電池セル１４の数とが等しい。なお、ｘ方向とｙ方向とで太陽電池セル１４の並べる数を異ならせる場合、その差を２以内とすることが望ましい。
【００１３】
フレーム枠３８は、第１フレーム４０ａと、第２フレーム４０ｂと、第３フレーム４０ｃと、第４フレーム４０ｄ（以下、総称してフレーム４０ともいう）を含む。第１フレーム４０ａは、第１端面２０ａに沿って延在し、第２フレーム４０ｂは、第２端面２０ｂに沿って延在し、第３フレーム４０ｃは、第３端面２０ｃに沿って延在し、第４フレーム４０ｄは、第４端面２０ｄに沿って延在する。
【００１４】
フレーム４０は、アルミニウム、鉄、ステンレス鋼などの金属材料や、樹脂材料などで形成され、押出成型などで形成される。フレーム４０は、断面形状が略矩形の本体部４２（図２参照）を備える。本体部４２は、軽量化のため中空構造を有する。
【００１５】
それぞれのフレーム４０の両端を構成する第１端部４１ａ１、４１ｂ１、４１ｃ１、４１ｄ１および第２端部４１ａ２、４１ｂ２、４１ｃ２、４１ｄ２（以下、総称して端部４１ともいう）は、フレーム４０が延びる方向に対して斜めに切り取られている。斜めに切り取られた端部４１同士が接することにより、フレーム枠３８のコーナ部３９ａ、３９ｂ、３９ｃ、３９ｄ（以下、総称してコーナ部３９ともいう）が形成される。フレーム４０間は、例えば、端部４１に挿入されるＬ字形状を有する連結部材により連結される。
【００１６】
四つのコーナ部３９のうち、第１フレーム４０ａおよび第３フレーム４０ｃにより構成される第１コーナ部３９ａと、第２フレーム４０ｂおよび第４フレーム４０ｄにより構成される第２コーナ部３９ｂとにおいて、水切りが形成される。この水切りは、フレーム４０を構成する部材のうち、受光面２２上に設けられる第１部材４３ａ（図２参照）を部分的に除去することにより形成される。より具体的には、第１フレーム４０ａと第３フレーム４０ｃとが近接する第１領域Ａにおいて、第１フレーム４０ａは、第１部材４３ａを有していない。同様に、第２フレーム４０ｂと第４フレーム４０ｄとが近接する第２領域Ｂにおいて、第２フレーム４０ｂは、第１部材４３ａを有していない。このように、四つのコーナ部３９のうち、対角に位置する第１コーナ部３９ａおよび第２コーナ部３９ｂに第１部材４３ａを設けないこととすることで、受光面２２の上に溜まる雨水などを太陽電池モジュール１００の外へ排出しやくする。なお、フレーム４０に備えられる第１部材４３ａの詳細な構成は後述する。
【００１７】
一方、四つのコーナ部３９のうち、第２フレーム４０ｂおよび第３フレーム４０ｃにより構成される第３コーナ部３９ｃと、第１フレーム４０ａおよび第４フレーム４０ｄにより構成される第４コーナ部３９ｄとには、水切りを形成していない。より具体的には、第３コーナ部３９ｃおよび第４コーナ部３９ｄにおいては、受光面２２上に第１部材４３ａを設けることとする。これにより、四つのコーナ部３９の全てに水切りを形成する場合と比べて、フレーム枠３８の強度を高める。
【００１８】
図２は、太陽電池モジュール１００の構造を示す断面図であり、図１のＸ１−Ｘ１線断面を示す。
【００１９】
太陽電池パネル２０は、受光面保護部材１０、封止部材１２、太陽電池セル１４、裏面保護部材１６を備える。受光面保護部材１０は、太陽電池パネル２０において受光面２２側に配置されており、太陽電池パネル２０の表面を保護する。受光面保護部材１０として、透光性および遮水性を有するガラス、透光性プラスチック等が使用される。
【００２０】
封止部材１２は、受光面保護部材１０と裏面保護部材１６の間に設けられ、これらの間に設けられる太陽電池セル１４を封止する。封止部材１２として、例えば、ＥＶＡ（エチレン酢酸ビニル共重合体）や、ＰＶＢ（ポリビニルブチラール）、ポリオレフィン等の樹脂フィルムが使用される。樹脂フィルムは、シート形状を有する。
【００２１】
太陽電池セル１４は、受光面と裏面とを有し、主に受光面に入射する光によって発電する光起電力素子である。太陽電池パネル２０は、複数の太陽電池セル１４を備え、複数の太陽電池セル１４は、銅箔やアルミ箔などの配線材により電気的に接続される。
【００２２】
裏面保護部材１６は、太陽電池パネル２０において裏面２４側に配置されており、太陽電池パネル２０の背面を保護する。裏面保護部材１６としては、ポリエチレンテレフタラート（ＰＥＴ）等の樹脂フィルム、アルミニウム箔を樹脂フィルムで挟んだ構造を有する積層フィルムなどが使用される。
【００２３】
フレーム４０は、本体部４２と、保持部４３と、取付部４６とを備える。なお、図２ではフレーム４０として、図１に示す第１フレーム４０ａを示すが、第２フレーム４０ｂも同様の構造を有する。また、第３フレーム４０ｃおよび第４フレーム４０ｄは、第１領域Ａまたは第２領域Ｂにおいて水切りが形成されていない点を除き、第１フレーム４０ａと同様の構造を有する。
【００２４】
本体部４２は、太陽電池パネル２０の裏面２４側に配置される。本体部４２は、断面形状が矩形であり、内部に中空部４２ｅが設けられる。本体部４２は、上面４２ａ、下面４２ｂ、内側面４２ｃ、外側面４２ｄを有する。保持部４３は、断面Ｌ字状の部材であり、受光面２２上に設けられる第１部材４３ａと、第１部材４３ａと本体部４２とを接続する第２部材４３ｂとを有する。保持部４３は、本体部４２ともに太陽電池パネル２０の端面が挿入される嵌合溝４４を形成する。これにより、保持部４３は、太陽電池パネル２０を保持する。なお、嵌合溝４４と太陽電池パネル２０との間にシリコーン樹脂などを介在させて接着させてもよい。
【００２５】
内側面４２ｃには、本体部４２からフレーム枠３８の内側に向けて突出する取付部４６が設けられる。取付部４６は、本体部４２の下面４２ｂとともに連続した面を形成するように設けられ、下面４２ｂとの間に段差が形成されないように設けられる。取付部４６には、フレーム枠３８を構造物にネジ止めするためのネジ孔４８が設けられる。
【００２６】
図示されるように、ネジ孔４８にはネジ６０が挿通される。ネジ孔４８は、挿通されるネジ６０の軸部の太さｄに対し、取付部４６が本体部４２から突出する方向（第１フレーム４０ａにおいてｘ方向）の長さがほぼ等しくなるように形成される。一方、ネジ孔４８は、本体部４２が延びる方向（第１フレーム４０ａにおいてｙ方向）の長さがｘ方向の長さに比べて大きい長孔形状を有する。
【００２７】
図３は、太陽電池モジュール１００の裏面２４側の構造を示す平面図である。図示されるように、取付部４６にはネジ孔４８が設けられ、ネジ孔４８は、ｙ方向の長さＷがｘ方向の長さに比べて大きい長孔形状を有する。ネジ孔４８を長孔形状とすることにより、太陽電池パネル２０の裏面２４と取付部４６との間の高さｈよりも軸方向の長さＬが長いネジ６０（図２参照）を挿通可能とする。
【００２８】
第１コーナ部３９ａおよび第２コーナ部３９ｂが位置する第１領域Ａおよび第２領域Ｂには、第１貫通孔４２ｇが設けられる。第１貫通孔４２ｇは、後述する図４に示すように、本体部４２の下面４２ｂに設けられ、中空部４２ｅと連通するように設けられる。第１貫通孔４２ｇは、中空部４２ｅに入り込む雨水等を外へ排出する機能を有する。
【００２９】
図４および図５は、第１領域Ａにおける第１フレーム４０ａの構造を示す側面図である。図４は、図１のＹ２方向から見た第１フレーム４０ａを示し、図５は、図１のＸ２方向から見た第１フレーム４０ａを示す。なお、第２領域Ｂにおける第２フレーム４０ｂも、第１領域Ａにおける第１フレーム４０ａと同様の構造を有する。図４および図５において、太陽電池パネル２０が設けられる位置を一点鎖線で示している。
【００３０】
図４に示されるように、第１フレーム４０ａの下面４２ｂには、第１貫通孔４２ｇが設けられる。また、第１フレーム４０ａの第２部材４３ｂには、第２貫通孔４３ｃが設けられる。第２貫通孔４３ｃは、太陽電池パネル２０の端面が挿入される嵌合溝４４の内側と連通しており、嵌合溝４４に溜まる雨水等を外へ排出する機能を有する。第１貫通孔４２ｇは、図５に示されるように、第１フレーム４０ａの延びる方向（ｙ方向）に第１端部４１ａ１から所定位置まで延びている。
【００３１】
図５に示されるように、第１領域Ａにおいて第１フレーム４０ａの第１部材４３ａは除去されている。言い換えれば、第１領域Ａにおいて、第１フレーム４０ａは、本体部４２と第２部材４３ｂにより構成され、第１領域Ａ以外の領域において、本体部４２と第１部材４３ａと第２部材４３ｂにより構成される。同様に、第２フレーム４０ｂは、第２領域Ｂにおいて、本体部４２と第２部材４３ｂにより構成され、第２領域Ｂ以外の領域において、本体部４２と第１部材４３ａと第２部材４３ｂにより構成される。一方、第３フレーム４０ｃおよび第４フレーム４０ｄは、全体にわたって本体部４２と第１部材４３ａと第２部材４３ｂにより構成される。
【００３２】
以上の構成により、本実施の形態に係る太陽電池モジュール１００は、対角に位置する二つのコーナ部３９ａ、３９ｂに水切りを形成することができる。例えば、太陽電池モジュール１００を設置する際の天地方向を第３フレーム４０ｃが地面側となるようにした場合、受光面２２に溜まった雨水等は、第３フレーム４０ｃの近傍に集まり、第１領域Ａの第１部材４３ａが設けられてない箇所を通じて排出される。また、第１領域Ａには、第２部材４３ｂに第２貫通孔４３ｃが設けられるため、嵌合溝４４に入り込んだ水も第２貫通孔４３ｃを通じて排出することができる。さらに、中空部４２ｅに入り込んだ水は、第１貫通孔４２ｇを通じて排出することができる。これにより、受光面２２に溜まる雨水等を好適に排出することができる。また、受光面２２に積もる砂や埃なども雨水とともに外へ排出することができ、太陽電池モジュール１００の耐候性を高めることができる。
【００３３】
同様に、第１フレーム４０ａが地面側となるように太陽電池モジュール１００を設置する場合であっても、第１領域Ａに設けられる水切りを通じて、第１フレーム４０ａの近傍に集まる雨水を好適に排出することができる。また、第２フレーム４０ｂや第４フレーム４０ｄが地面側となるように太陽電池モジュール１００を設置する場合には、第２領域Ｂに設けられる水切りを通じて、第２フレーム４０ｂまたは第４フレーム４０ｄの近傍に集まる雨水を好適に排出することができる。このように、対角に位置する二つのコーナ部３９ａ、３９ｂに水切りを形成することで、太陽電池モジュール１００の設置方向によらず雨水等を好適に排出することができ、太陽電池モジュール１００の耐候性を高めることができる。
【００３４】
また、対角に位置する二つのコーナ部３９ａ、３９ｂに水切りを形成することで、第１フレーム４０ａおよび第２フレーム４０ｂの構造を同一とすることができる。これにより、互いに異なる構造を有する第１フレーム４０ａおよび第２フレーム４０ｂを用いる場合と比べて、第１フレーム４０ａおよび第２フレーム４０ｂの製造コストを抑えることができる。同様に、第３フレーム４０ｃおよび第４フレーム４０ｄも同一構造とすることができるため、フレーム枠３８の製造コストを抑えることができる。
【００３５】
また、フレーム４０の取付部４６には、長孔形状を有するネジ孔４８が設けられる。これにより、軸方向に長いネジを使って太陽電池モジュール１００をネジ止めすることができる。以下、長孔形状を有するネジ孔４８により奏する効果を図６および図７を参照しながら説明する。
【００３６】
図６（ａ）、（ｂ）は、比較例に係るフレーム１４０にネジ６０を取り付ける様子を模式的に示す図である。図６（ａ）は、ネジ６０の形状を示す図であり、軸部６２の直径がｄであり、頭部６４の直径がＤであり、軸方向の長さがＬであるネジ６０を示している。図６（ｂ）は、比較例に係るフレーム１４０の取付部１４６に設けられたネジ孔１４８に、ネジ６０を挿通しようとする様子を示している。図示されるように、ネジ６０の長さＬは、太陽電池パネル２０の裏面２４と取付部１４６との間の高さｈよりも長い。そのため、取付部１４６に対してネジ６０を斜めにしないと、裏面２４と取付部１４６の間にネジ６０を入れることができない。このとき、フレーム４０が延びる方向のネジ孔１４８の幅Ｗ１が小さいと、ネジ６０をネジ孔１４８に挿通させることができない。
【００３７】
図７（ａ）、（ｂ）は、本実施の形態に係るフレームにネジを取り付ける様子を模式的に示す図である。図７（ａ）は、ネジ６０の形状を示す図であり、図６（ａ）に示すネジ６０と同じである。図７（ｂ）は、本実施の形態に係るフレーム４０の取付部４６に設けられたネジ孔４８にネジ６０を挿通しようとする様子を示しており、図３のＹ１−Ｙ１線断面に相当する。図示されるように、本実施の形態では、フレーム４０が延びる方向のネジ孔４８の幅Ｗ２が長いため、ネジ６０の頭部６４が裏面２４と取付部４６の間に位置する向きで、ネジ６０をネジ孔４８に挿通させることができる。このようなネジ孔４８の幅Ｗ２は、以下に示す式（１）から求めることができる。
【００３８】
【数１】
2015195663.tif 000003
【００３９】
例えば、高さｈ＝２４ｍｍとなる取付部４６に対して、Ｌ＝５０ｍｍ、Ｄ＝１３ｍｍ、ｄ＝８ｍｍのＭ８ボルトをネジ６０として用いる場合、ネジ孔４８の幅Ｗ２は、約３０ｍｍ以上とすればよい。また、Ｌ＝２５ｍｍのＭ８ボルトをネジ６０として用いる場合、ネジ孔４８の幅Ｗ２は、約９ｍｍ以上とすればよい。このとき、ネジ孔４８の短手方向の幅はｄ＝８ｍｍと同じにすればよいことから、ネジ孔４８の短手方向と長手方向のアスペクト比は、それぞれ１．１倍と３．８倍に対応する。したがって、アスペクト比を４倍程度にとることで、高さｈに対して２倍程度の長さのネジ６０を用いることができることがわかる。
【００４０】
ネジ６０の長さＬは、太陽電池モジュール１００と構造物との固定強度の要求に応じて適切な長さを取る必要があり、フレーム４０の固定対象となる構造物の取付部分の厚さや位置に応じて決定される。仮に、比較例において示したように長さＬの長いネジを使用する場合、構造物との固定に際して必要な長さのネジを用いることができるように、裏面２４と取付部４６との隙間の高さｈの大きいフレーム４０を用意する必要がある。この場合、フレーム４０の本体部４２を構成する材料の使用量が多くなり、押出成型によってフレーム４０を形成する場合において、太陽電池モジュール１００のコストが高くなってしまう。
【００４１】
一方、本実施の形態においては、取付部４６に長孔形状のネジ孔４８が設けられるため、裏面２４と取付部４６との隙間の高さｈよりも長いネジ６０を取り付けることができる。そうすると、裏面２４と取付部４６との隙間の高さｈを変更したフレーム４０を準備する必要がなくなる。また、ネジ６０の長さに応じてネジ孔４８の幅Ｗ２を変更することでネジ６０の長さの変更に対応できるため、押出成型によってフレーム４０を形成する場合において、太陽電池モジュール１００の製造コストの増加を抑制できる。また、ネジ孔４８が長孔形状を有しているため、少しだけ長いネジ６０をネジ孔４８に挿通させやすい。これにより、太陽電池モジュール１００を固定する際の作業性を高めることができる。
【００４２】
以上、本発明について実施の形態をもとに説明した。この実施の形態は例示であり、それらの各構成要素あるいは各処理プロセスの組合せにいろいろな変形例が可能なこと、またそうした変形例も本発明の範囲にあることは当業者に理解されるところである。
【００４３】
図８は、変形例に係る太陽電池モジュール１００を示す平面図である。本変形例は、第３フレーム４０ｃと第４フレーム４０ｄの位置が入れ替わっている点で上述の実施の形態と異なる。紙面上のｙ方向を上下方向とすると、本変形例では、第３フレーム４０ｃが上側に位置し、第４フレーム４０ｄが下側に位置している。その結果、第１フレーム４０ａにおいて水切りが設けられる第１領域Ａは、上側に位置し、第２フレーム４０ｂにおいて水切りが設けられる第２領域Ｂは、下側に位置している。このような構成としても、上述の実施の形態と同様の効果を奏することができる。
【符号の説明】
【００４４】
Ａ…第１領域、Ｂ…第２領域、１４…太陽電池セル、２０…太陽電池パネル、２０ａ…第１端面、２０ｂ…第２端面、２０ｃ…第３端面、２０ｄ…第４端面、２２…受光面、２４…裏面、３８…フレーム枠、４０…フレーム、４０ａ…第１フレーム、４０ｂ…第２フレーム、４０ｃ…第３フレーム、４０ｄ…第４フレーム、４２…本体部、４３…保持部、４３ａ…第１部材、４３ｂ…第２部材、４６…取付部、４８…ネジ孔、６０…ネジ、６４…頭部、１００…太陽電池モジュール。
【図１】
2015195663.tif 000004
【図２】
2015195663.tif 000005
【図３】
2015195663.tif 000006
【図４】
2015195663.tif 000007
【図５】
2015195663.tif 000008
【図６】
2015195663.tif 000009
【図７】
2015195663.tif 000010
【図８】
2015195663.tif 000011